(57)【要約】【課題】ホームページ上の誤記を含む誤記情報を受け付けて、その誤記情報が迅速かつ適切に修正されることにより、ホームページを掲載する企業の信頼性を向上させるホームページ管理サーバを提供する。【解決手段】個人情報管理端末４０は、誤記情報を受信する誤り情報受信部４１０と、受信した誤記情報を、企業ホームページ掲載端末２０又は企業情報管理端末３０に送信する誤り情報送信部４２０と、誤記情報が修正された旨の通知を、企業ホームページ掲載端末２０又は企業情報管理端末３０から受信する誤り情報修正受信部４３０と、誤記情報が修正された旨の通知を受信するまでの時間を修正時間として算出する修正時間算出部４４０と、算出された修正時間が、予め条件として定められた所定時間内にあるときは、修正対応が適切であることを示す修正対応認定証を企業ホームページ掲載端末２０に付与する認定証付与部４５０と、を備える。【選択図】図２
2010067040.tif 000002
【特許請求の範囲】
【請求項１】
ユーザ端末から送信されたホームページ上の誤記を含む誤り情報を受信する誤り情報受信手段と、
受信した前記誤り情報を、前記ホームページを掲載する掲載元の掲載端末に送信する誤り情報送信手段と、
送信された前記誤り情報が修正された旨の通知を、前記掲載端末から受信する誤り情報修正受信手段と、
前記掲載端末に前記誤り情報を送信してから、当該誤り情報が修正された旨の通知を受信するまでの時間を、修正時間として算出する修正時間算出手段と、
算出された前記修正時間が、予め条件として定められた所定時間内にあるときは、修正対応が適切であることを示す修正対応認定証を前記掲載端末に付与する認定証付与手段と、
を備えることを特徴とするホームページ管理サーバ。
【請求項２】
前記誤り情報を送信したユーザの個人情報を格納する個人情報管理データベースを有し、
前記個人情報管理データベースから、前記ユーザの個人情報を読み出して、当該個人情報に基づいて、前記誤り情報の通知がされたことに対する御礼を示す謝礼を通知する謝礼通知手段
を備えることを特徴とする請求項１に記載のホームページ管理サーバ。
【請求項３】
ユーザから指摘された前記誤り情報を、前記掲載元ごとに格納する誤記情報データベースを有し、
前記誤り情報受信手段は、
前記ユーザから前記誤り情報を受信すると、前記誤記情報データベースから該当する前記掲載元の誤り情報を読み出して、受信した誤り情報が、読み出された誤り情報に含まれているか判定する誤り情報判定手段を備え、
前記誤り情報判定手段は、
読み出された誤り情報に、受信した誤り情報が含まれていないと判定したとき、
前記誤り情報送信手段は、
受信した前記誤り情報を該当する前記掲載端末に送信する
ことを特徴とする請求項１または２の何れか１項に記載のホームページ管理サーバ。
【請求項４】
前記ホームページを掲載する前記掲載元と、当該ホームページ上における前記誤記を含む誤り情報の通知に対するお礼を示す謝礼一覧とを掲示する謝礼一覧掲示手段
を備えることを特徴とする請求項１ないし３の何れか１項に記載のホームページ管理サーバ。
【請求項５】
すでに自サーバに通知された前記誤り情報を、前記掲載元ごとに表示する誤り情報表示手段を
備えることを特徴とする請求項１ないし４の何れか１項に記載のホームページ管理サーバ。
【請求項６】
ユーザ端末から送信されたホームページ上の誤記を含む誤り情報を受信する誤り情報受信ステップと、
受信した前記誤り情報を、前記ホームページを掲載する掲載元の掲載端末に送信する誤り情報送信ステップと、
送信された前記誤り情報が修正された旨の通知を、前記掲載端末から受信する誤り情報修正受信ステップと、
前記掲載端末に前記誤り情報を送信してから、当該誤り情報が修正された旨の通知を受信するまでの時間を、修正時間として算出する修正時間算出ステップと、
算出された前記修正時間が、予め条件として定められた所定時間内にあるときは、修正対応が適切であることを示す修正対応認定証を前記掲載端末に付与する認定証付与ステップと、
を含むことを特徴とするホームページ管理サーバにおけるホームページ管理方法。
【請求項７】
ユーザ端末から送信されたホームページ上の誤記を含む誤り情報を受信する誤り情報受信手順と、
受信した前記誤り情報を、前記ホームページを掲載する掲載元の掲載端末に送信する誤り情報送信手順と、
送信された前記誤り情報が修正された旨の通知を、前記掲載端末から受信する誤り情報修正受信手順と、
前記掲載端末に前記誤り情報を送信してから、当該誤り情報が修正された旨の通知を受信するまでの時間を、修正時間として算出する修正時間算出手順と、
算出された前記修正時間が、予め条件として定められた所定時間内にあるときは、修正対応が適切であることを示す修正対応認定証を前記掲載端末に付与する認定証付与手順と、
をコンピュータに実行させることを特徴とするホームページ管理プログラム。
【請求項８】
ホームページを掲載する掲載端末と、前記ホームページを閲覧するユーザ端末と、前記掲載端末から前記ホームページが修正された旨の通知を受信するホームページ管理サーバとを有するホームページチェックシステムであって、
前記ユーザ端末は、
前記ホームページ上の誤記を含む誤りが発見されると、前記誤りの情報を誤り情報として前記ホームページ管理サーバに送信し、
前記ホームページ管理サーバは、
前記ユーザ端末から送信された前記誤り情報を受信する誤り情報受信手段と、
受信した前記誤り情報を、前記ホームページを掲載する掲載元の前記掲載端末に送信する誤り情報送信手段と、
送信された前記誤り情報が修正された旨の通知を、前記掲載端末から受信する誤り情報修正受信手段と、
前記掲載端末に前記誤り情報を送信してから、当該誤り情報が修正された旨の通知を受信するまでの時間を、修正時間として算出する修正時間算出手段と、
算出された前記修正時間が、予め条件として定められた所定時間内にあるときは、修正対応が適切であることを示す修正対応認定証を前記掲載端末に付与する認定証付与手段と、を備え、
前記掲載端末は、
前記ホームページ管理サーバから送信された前記誤り情報を受信し、
受信した前記誤り情報によって前記ホームページが修正され、修正された旨を前記ホームページ管理サーバに通知する
ことを特徴とするホームページチェックシステム。
【請求項９】
前記ホームページ管理サーバは、
前記誤り情報を送信したユーザの個人情報を格納する個人情報管理データベースを有し、
前記個人情報管理データベースから、前記ユーザの個人情報を読み出して、当該個人情報に基づいて、前記誤り情報の通知がされたことに対する御礼を示す謝礼を通知する謝礼通知手段
を備えることを特徴とする請求項８に記載のホームページチェックシステム。
【請求項１０】
ユーザから指摘された前記誤り情報を、前記掲載元ごとに格納する誤記情報データベースを有し、
前記誤り情報受信手段は、
前記ユーザから前記誤り情報を受信すると、前記誤記情報データベースから該当する前記掲載元の誤り情報を読み出して、受信した誤り情報が、読み出された誤り情報に含まれているか判定する誤り情報判定手段を備え、
前記誤り情報判定手段は、
読み出された誤り情報に、受信した誤り情報が含まれていないと判定したとき、
前記誤り情報送信手段は、
受信した前記誤り情報を該当する前記掲載端末に送信する
ことを特徴とする請求項８または９の何れか１項に記載のホームページチェックシステム。
【請求項１１】
前記ホームページを掲載する前記掲載元と、当該ホームページ上における前記誤記を含む誤り情報の通知に対するお礼を示す謝礼一覧とを掲示する謝礼一覧掲示手段
を備えることを特徴とする請求項８ないし１０の何れか１項に記載のホームページチェックシステム。
【請求項１２】
すでに前記ホームページ管理サーバに通知された前記誤り情報を、前記掲載元ごとに表示する誤り情報表示手段を
備えることを特徴とする請求項８ないし１１の何れか１項に記載のホームページチェックシステム。
【請求項１３】
ホームページを掲載する掲載端末と、前記ホームページを閲覧するユーザ端末と、前記掲載端末から前記ホームページが修正された旨の通知を受信するホームページ管理サーバとを有するホームページチェックシステムにおけるホームページチェック方法であって、
前記ユーザ端末が、前記ホームページ上の誤記を含む誤りが発見されると、前記誤りの情報を誤り情報として前記ホームページ管理サーバに送信するステップと、
前記ホームページ管理サーバが、前記ユーザ端末から送信された前記誤り情報を受信する誤り情報受信ステップと、
前記ホームページ管理サーバが、受信した前記誤り情報を、前記ホームページを掲載する掲載元の前記掲載端末に送信する誤り情報送信ステップと、
前記掲載端末が、前記ホームページ管理サーバから送信された前記誤り情報を受信するステップと、
前記掲載端末が、受信した前記誤り情報によって前記ホームページが修正され、修正された旨を前記ホームページ管理サーバに通知するステップと、
前記ホームページ管理サーバが、送信された前記誤り情報が修正された旨の通知を、前記掲載端末から受信する誤り情報修正受信ステップと、
前記ホームページ管理サーバが、前記掲載端末に前記誤り情報を送信してから、当該誤り情報が修正された旨の通知を受信するまでの時間を、修正時間として算出する修正時間算出ステップと、
前記ホームページ管理サーバが、算出された前記修正時間が予め条件として定められた所定時間内にあるときは、修正対応が適切であることを示す修正対応認定証を前記掲載端末に付与する認定証付与ステップと、
を含むことを特徴とするホームページチェック方法。
【発明の詳細な説明】
【技術分野】
【０００１】
本発明は、ホームページ管理サーバ、ホームページ管理方法およびホームページチェックシステムに関する。
【背景技術】
【０００２】
近年、情報処理装置などの技術の進歩に伴って、官公庁や企業等がホームページを用いて各種情報を開示したり、活動内容や取り組みを掲載している。
【０００３】
また、ホームページは、一般に、多くの利用者に閲覧可能となるように開示され、見易くて分かりやすいことが要求されると共に、誤記、誤りまたは嘘などがないことが望まれている。
【０００４】
ここで、ホームページのデザインや掲載されている内容を評価するホームページ評価システムに関するものが、特許文献１及び２に記載されている。また、ホームページの更新や修正を容易に行うことができる更新システムに関するものが、特許文献３に記載されている。
【特許文献１】特開２００１−９２７４２号公報
【特許文献２】特開２００５−２５８５５０号公報
【特許文献３】特開２００６−１４６５０６号公報
【発明の開示】
【発明が解決しようとする課題】
【０００５】
ところで、インターネットのホームページ上に掲載された情報には、しばしば嘘や誤りが見受けられる。また、ホームページに各種情報を開示して、一般向けに広く情報を公開している官公庁や企業等にとって、自社のホームページの記載ミスは、その企業の利用者の不審を招き、その企業の信用低下にもつながりかねない。
【０００６】
そのため、ホームページ上に各種情報を公開している企業等は、ホームページ上の誤記の迅速な発見と迅速な修正が必要であるが、実際には誤記や誤りに気付かず、修正対応が遅れてしまう、という問題があった。
【０００７】
本発明は上記事情に鑑みてなされたものであり、その目的とするところは、ホームページ上の誤記を含む誤り情報を受け付けて、その誤記情報が迅速かつ適切に修正されることにより、ホームページを掲載する掲載元の信頼性を向上させるホームページ管理サーバ、ホームページ管理方法、ホームページ管理プログラム、ホームページチェックシステム及びホームページチェック方法を提供することにある。
【課題を解決するための手段】
【０００８】
本発明によれば、ユーザ端末から送信されたホームページ上の誤記を含む誤り情報を受信する誤り情報受信手段と、
受信した前記誤り情報を、前記ホームページを掲載する掲載元の掲載端末に送信する誤り情報送信手段と、
送信された前記誤り情報が修正された旨の通知を、前記掲載端末から受信する誤り情報修正受信手段と、
前記掲載端末に前記誤り情報を送信してから、当該誤り情報が修正された旨の通知を受信するまでの時間を、修正時間として算出する修正時間算出手段と、
算出された前記修正時間が、予め条件として定められた所定時間内にあるときは、修正対応が適切であることを示す修正対応認定証を前記掲載端末に付与する認定証付与手段と、
を備えることを特徴とするホームページ管理サーバが提供される。
【０００９】
本発明によれば、ユーザ端末から送信されたホームページ上の誤記を含む誤り情報を受信する誤り情報受信ステップと、
受信した前記誤り情報を、前記ホームページを掲載する掲載元の掲載端末に送信する誤り情報送信ステップと、
送信された前記誤り情報が修正された旨の通知を、前記掲載端末から受信する誤り情報修正受信ステップと、
前記掲載端末に前記誤り情報を送信してから、当該誤り情報が修正された旨の通知を受信するまでの時間を、修正時間として算出する修正時間算出ステップと、
算出された前記修正時間が、予め条件として定められた所定時間内にあるときは、修正対応が適切であることを示す修正対応認定証を前記掲載端末に付与する認定証付与ステップと、
を含むことを特徴とするホームページ管理サーバにおけるホームページ管理方法が提供される。
【００１０】
本発明によれば、ユーザ端末から送信されたホームページ上の誤記を含む誤り情報を受信する誤り情報受信手順と、
受信した前記誤り情報を、前記ホームページを掲載する掲載元の掲載端末に送信する誤り情報送信手順と、
送信された前記誤り情報が修正された旨の通知を、前記掲載端末から受信する誤り情報修正受信手順と、
前記掲載端末に前記誤り情報を送信してから、当該誤り情報が修正された旨の通知を受信するまでの時間を、修正時間として算出する修正時間算出手順と、
算出された前記修正時間が、予め条件として定められた所定時間内にあるときは、修正対応が適切であることを示す修正対応認定証を前記掲載端末に付与する認定証付与手順と、
をコンピュータに実行させることを特徴とするホームページ管理プログラムが提供される。
【００１１】
本発明によれば、ホームページを掲載する掲載端末と、前記ホームページを閲覧するユーザ端末と、前記掲載端末から前記ホームページが修正された旨の通知を受信するホームページ管理サーバとを有するホームページチェックシステムであって、
前記ユーザ端末は、
前記ホームページ上の誤記を含む誤りが発見されると、前記誤りの情報を誤り情報として前記ホームページ管理サーバに送信し、
前記ホームページ管理サーバは、
前記ユーザ端末から送信された前記誤り情報を受信する誤り情報受信手段と、
受信した前記誤り情報を、前記ホームページを掲載する掲載元の前記掲載端末に送信する誤り情報送信手段と、
送信された前記誤り情報が修正された旨の通知を、前記掲載端末から受信する誤り情報修正受信手段と、
前記掲載端末に前記誤り情報を送信してから、当該誤り情報が修正された旨の通知を受信するまでの時間を、修正時間として算出する修正時間算出手段と、
算出された前記修正時間が、予め条件として定められた所定時間内にあるときは、修正対応が適切であることを示す修正対応認定証を前記掲載端末に付与する認定証付与手段と、を備え、
前記掲載端末は、
前記ホームページ管理サーバから送信された前記誤り情報を受信し、
受信した前記誤り情報によって前記ホームページが修正され、修正された旨を前記ホームページ管理サーバに通知する
ことを特徴とするホームページチェックシステムが提供される。
【００１２】
本発明によれば、ホームページを掲載する掲載端末と、前記ホームページを閲覧するユーザ端末と、前記掲載端末から前記ホームページが修正された旨の通知を受信するホームページ管理サーバとを有するホームページチェックシステムにおけるホームページチェック方法であって、
前記ユーザ端末が、前記ホームページ上の誤記を含む誤りが発見されると、前記誤りの情報を誤り情報として前記ホームページ管理サーバに送信するステップと、
前記ホームページ管理サーバが、前記ユーザ端末から送信された前記誤り情報を受信する誤り情報受信ステップと、
前記ホームページ管理サーバが、受信した前記誤り情報を、前記ホームページを掲載する掲載元の前記掲載端末に送信する誤り情報送信ステップと、
前記掲載端末が、前記ホームページ管理サーバから送信された前記誤り情報を受信するステップと、
前記掲載端末が、受信した前記誤り情報によって前記ホームページが修正され、修正された旨を前記ホームページ管理サーバに通知するステップと、
前記ホームページ管理サーバが、送信された前記誤り情報が修正された旨の通知を、前記掲載端末から受信する誤り情報修正受信ステップと、
前記ホームページ管理サーバが、前記掲載端末に前記誤り情報を送信してから、当該誤り情報が修正された旨の通知を受信するまでの時間を、修正時間として算出する修正時間算出ステップと、
前記ホームページ管理サーバが、算出された前記修正時間が予め条件として定められた所定時間内にあるときは、修正対応が適切であることを示す修正対応認定証を前記掲載端末に付与する認定証付与ステップと、
を含むことを特徴とするホームページチェック方法が提供される。
【発明の効果】
【００１３】
本発明によれば、ホームページ上の誤記を含む誤り情報を受け付けて、その誤記情報が迅速かつ適切に修正されることにより、ホームページを掲載する掲載元の信頼性を向上させることができる。
【発明を実施するための最良の形態】
【００１４】
（第１の実施の形態）
以下、本発明の実施の形態について、図面を用いて説明する。尚、すべての図面において、同様な構成要素には同様の符号を付し、適宜説明を省略する。
【００１５】
図１は、本実施の形態に係るホームページチェックシステム２００を構成する概略構成図である。
【００１６】
図１に示すホームページチェックシステム２００は、個人ユーザ端末１０と、企業ホームページ掲載端末（掲載端末）２０と、企業情報管理端末３０と、個人情報管理端末（ホームページ管理サーバ）４０と、を備えている。または、企業情報管理端末３０と個人情報管理端末４０は、企業情報管理システム５０を形成している。
【００１７】
また、ホームページチェックシステム２００は、ネットワーク１００を介して、個人ユーザ端末１０と、企業ホームページ掲載端末２０と、企業情報管理端末３０と、個人情報管理端末４０とが相互に接続されている。
【００１８】
個人ユーザ端末１０は、ネットワーク１００を介して企業ホームページ掲載端末２０の閲覧や、企業情報管理端末３０に接続して登録企業情報や謝礼の閲覧、指摘済み誤記情報を確認など、各装置に接続して各種の情報を閲覧することができる。なお、個人ユーザ端末１０は、個人が所有しているパーソナルコンピュータや携帯端末等の既存の情報処理装置である。
【００１９】
企業ホームページ掲載端末２０は、ホームページを掲載する企業（掲載元）の企業端末である。なお、本実施の形態では、企業がホームページを掲載する形態によって説明しているが、本実施の形態は企業に限定されるものではなく、官公庁がホームページを掲載する場合であっても良い。
【００２０】
企業情報管理システム５０は、ホームページチェックシステム２００を運営する団体によって所有されている。運営するこの団体（以下、運営団体という。）は、企業情報管理システム５０に設けられた、企業情報管理端末３０と個人情報管理端末４０を管理している。
【００２１】
企業情報管理端末３０は、ホームページチェックシステム２００に参加している官公庁、企業名を掲載すると共に、謝礼についても公開している。また、企業情報管理端末３０は、指摘済み誤記情報についても、ネットワーク１００を介して個人ユーザ端末１０を有するユーザに公開している。なお、企業情報管理端末３０は、企業の情報が誰にでも閲覧可能に公開されるサイトを開設している運営団体の端末である。
【００２２】
具体的には、企業情報管理端末３０は、謝礼一覧掲示部（謝礼一覧掲示手段）３１０と、誤記情報表示部（誤り情報表示手段）３２０とを備えている。
【００２３】
謝礼一覧掲示部３１０は、ホームページを掲載する官公庁や企業名と、ホームページ上における誤記情報（誤記を含む誤り情報）の通知に対するお礼を示す謝礼一覧を掲示している。
【００２４】
誤記情報表示部３２０は、運営団体の企業情報管理システム５０にすでに通知された誤記情報を、官公庁や企業ごとに表示している。
【００２５】
個人情報管理端末４０は、個人情報の登録と誤記情報を受け付ける。また、個人情報管理端末４０は、本サービスを利用したい個人だけがアクセスできるサイトを開設している。なお、個人情報管理端末４０が開設するサイトには、個人情報に対してパスワードによる保護がかけられており、なりすましなどの不正防止対策が施されている。また、個人情報管理端末４０は、個人ユーザ端末１０から誤記情報の申告や、謝礼を受け取るための住所、氏名等の個人情報の登録・参照・削除などを行っている。
【００２６】
なお、企業情報管理端末３０と個人情報管理端末４０は、企業情報管理システム５０を形成するとともに、運営団体によって管理されているので、企業情報管理端末３０と個人情報管理端末４０が有する機能を１つの端末にまとめたり、あるいは、一方の端末の機能の一部を他方の端末の機能に加えることが可能である。
【００２７】
ネットワーク１００は、個人ユーザ端末１０と、企業ホームページ掲載端末２０と、企業情報管理端末３０と、個人情報管理端末４０とを銅線や光ファイバーなどのケーブルなどの手段によって接続され、データのやりとりが可能なネットワークである。
【００２８】
次に、図２は、本実施の形態に係る個人情報管理端末４０の機能ブロック図を示したものである。
【００２９】
図２に示す個人情報管理端末４０は、ユーザ端末から送信されたホームページ上の誤記を含む誤り情報（即ち、誤記情報）を受信する誤り情報受信部４１０と、受信した誤記情報を、ホームページを掲載する掲載元の企業ホームページ掲載端末２０、又は企業情報管理端末３０に送信する誤り情報送信部４２０と、送信された誤記情報が修正された旨の通知を、企業ホームページ掲載端末２０又は企業情報管理端末３０から受信する誤り情報修正受信部４３０と、誤記情報を送信してから、当該誤記情報が修正された旨の通知を受信するまでの時間を修正時間として算出する修正時間算出部４４０と、算出された修正時間が、予め条件として定められた所定時間内にあるときは、修正対応が適切であることを示す修正対応認定証を企業ホームページ掲載端末２０に付与する認定証付与部４５０と、を構成要素として備えている。
【００３０】
誤り情報受信部４１０は、ユーザ端末から送信されたホームページ上の誤記情報（上述の誤記を含む誤り情報である。）を受信する。また、誤り情報受信部４１０は、誤り情報判定部５２０を有している。
【００３１】
誤り情報判定部５２０は、ユーザから誤記情報を取得すると、指摘済み誤記データベース（誤記情報データベース）４９０から該当する企業の誤記情報を読み出して、取得した誤記情報が読み出された誤記情報に含まれているか判定する。
【００３２】
誤り情報送信部４２０は、受信した誤記情報をホームページを掲載する企業の企業ホームページ掲載端末２０、又は企業情報管理端末３０に送信する。
【００３３】
誤り情報修正受信部４３０は、送信された誤記情報が修正された旨の通知を、企業ホームページ掲載端末２０又は企業情報管理端末３０から受信する。
【００３４】
修正時間算出部４４０は、企業ホームページ掲載端末２０又は企業情報管理端末３０に誤記情報を送信してから、その誤記情報が修正された旨の通知を受信するまでの時間を、修正時間として算出する。
【００３５】
認定証付与部４５０は、算出された修正時間が予め条件として定められた所定時間内にあるときは、認定証データベース５００を参照して企業ごとの設定条件を確認し、全ての条件を満たしている場合に修正対応が適切であることを示す修正対応認定証を企業端末に付与する。
【００３６】
また、個人情報管理端末４０は、データベース管理部４６０と、個人情報管理データベース４７０と、謝礼データベース４８０と、指摘済み誤記データベース４９０と、認定証データベース５００と、謝礼送信部５１０とを備えている。
【００３７】
データベース管理部４６０は、個人情報管理データベース４７０や、謝礼データベース４８０や、指摘済み誤記データベース４９０のデータの書き込みや読み出しを行い、各データベースのデータを管理している。
【００３８】
個人情報管理データベース４７０は、個人ユーザ端末１０を有するユーザの個人情報が格納されている。ここで、格納されている個人情報テーブルの一例を、図３に示す。
【００３９】
図３は、個人情報管理データベース４７０に格納された個人情報テーブルを示した一例である。図３では、個人情報テーブルの一例として、ユーザＩＤ（identify）と個人情報とを有している。例えば、ユーザＩＤのＡ００１は、Ａという氏名の方で、Ｂという連絡先と、Ｃという振込先が登録されている。また、ユーザＩＤのＡ００２も同様に、Ｄという氏名の方で、Ｅという連絡先と、Ｆという振込先が登録されている。また、ユーザＩＤのＡ００３も同様に、Ｇという氏名の方で、Ｈという連絡と、Ｉという振込先が登録されている。なお、連絡先は、自宅又は携帯電話の電話番号や、パソコン等のメールアドレスなどが該当し、振込先は、例えば、民間の銀行などが該当する。
【００４０】
謝礼データベース４８０は、運営団体がホームページチェックシステム２００によって管理される対象となる企業名と謝礼内容が格納されている。ここで、格納されている謝礼テーブルの一例を、図４に示す。
【００４１】
図４は、謝礼データベース４８０に格納された謝礼テーブルを示した一例である。図４では、企業名と謝礼内容が記載されている。例えば、企業名のＢ００１は、謝礼内容Ｘとして、誤記が１つにつきいくらであるとか、誤った情報が記載されていれば、１件いくらであるとかが記載されている。企業名のＢ００２及びＢ００３も同様に、企業ごとに定める謝礼内容が記載されている。
【００４２】
指摘済み誤記データベース４９０は、ユーザから指摘された誤記情報が企業ごとに格納されている。ここで、格納されている指摘済み誤記テーブルの一例を、図５に示す。
【００４３】
図５は、指摘済み誤記データベース４９０に格納された指摘済み誤記テーブルを示した一例である。図５では、企業名と誤記情報が記載されている。例えば、企業名のＣ００１は、誤記情報Ｒとして、自社のホームページの３ページの５行目に誤記がある旨や、誤字、脱字、ホームページの差し替え内容などが記載されている。企業名のＣ００２及びＣ００３も同様に、すでにユーザから運営団体に指摘された誤記情報が企業ごとに記載されている。
【００４４】
認定証データベース５００は、修正時間算出部４４０によって算出された修正時間が、予め条件として定められた所定時間内にあるときは、その修正対応によって認定証を付与する情報が格納されている。ここで、格納されている認定証テーブルの一例を、図６に示す。
【００４５】
図６は、認定証データベース５００に格納された認定証テーブルを示した一例である。図６では、企業名と認定証情報の条件が記載されている。例えば、企業名のＤ００１は、認定証情報Ｊとして、５つ以内の誤記の指摘を受けて、２時間以内に修正を行うとともに、過去の誤記の指摘の累計１０回の修正依頼について、いずれも２時間以内に修正を行ったときには、認定証を付与する旨が記載されている。
【００４６】
なお、本実施の形態では、認定証を付与する条件において、修正対応時間や過去の累計の修正依頼について、運営団体が各企業と任意に設定することができる。また、運営団体は、認定証を付与する条件において、各企業に同一の条件を設定するようにしても良い。また、認定証データベース５００は、認定証を付与するための条件だけでなく、認定証を付与する条件を満たして認定証が付与された履歴として、履歴を示すテーブルを付加するようにしても良い。
【００４７】
謝礼送信部５１０は、個人情報管理データベース４７０から、ユーザの個人情報を読み出して、その個人情報に基づいて、誤記情報の通知をしてくれたことに対する御礼を示す謝礼を通知する。
【００４８】
次に、本実施の形態に係るホームページチェックシステム２００の全体動作について、説明する。
【００４９】
図７は、ホームページチェックシステム２００の全体動作を示したシーケンス図である。まず、ホームページチェックシステム２００を利用したい企業は、本システムを運営する運営団体に登録し、運営団体に登録料、運営費を支払い、誤記発見者への謝礼内容や謝礼配布基準について取り決めを行う。これらの情報は、企業情報管理端末３０の謝礼一覧掲示部３１０によって掲載される。
【００５０】
個人ユーザ端末１０を有する個人ユーザは、個人ユーザ端末１０によって企業情報管理端末３０に接続され、企業情報管理端末３０が掲載するサイトＡに接続される（Ａ０１）。個人ユーザ端末１０は、企業情報管理端末３０の謝礼一覧掲示部３１０よって掲載された登録済みの官公庁・企業名及び謝礼一覧について情報を入手する（Ａ０２及びＡ０３）。
【００５１】
個人ユーザ端末１０は、個人情報管理端末４０に接続して、個人情報管理端末４０が掲載するサイトＢに接続する（Ａ０４）。そして、個人ユーザは、個人情報管理端末４０に謝礼送付のための氏名、メールアドレス、住所等の個人情報を登録する（Ａ０５）。
【００５２】
個人ユーザ端末１０は、個人ユーザによって個人情報が入力されると、個人情報管理端末４０から接続を切断し（Ａ０６）、そして、企業ホームページ掲載端末２０に接続し（Ａ０７）、個人ユーザに企業ホームページ掲載端末２０のホームページを閲覧させ、誤記を含む誤記情報を発見させる（Ａ０８）。
【００５３】
個人ユーザ端末１０は、企業ホームページ掲載端末２０から接続を切断して（Ａ０９）、企業情報管理端末３０に接続して（Ａ１０）、企業情報管理端末３０の誤記情報表示部３２０によって掲載されているサイトＣに接続し、発見された誤記が既に指摘済みのものであるか否かをユーザに確認させる（Ａ１１）。
【００５４】
そして、個人ユーザ端末１０は、発見された誤記情報が誤記情報表示部３２０に掲載されておらず、指摘済みのものでなかった場合には、個人ユーザ端末１０は、企業情報管理端末３０から接続を切断して（Ａ１２）、個人情報管理端末４０に接続し、個人情報管理端末４０によって開設されているサイトＤに、誤記情報を報告する（Ａ１３）。
【００５５】
これにより、個人情報管理端末４０は、誤り情報受信部４１０が誤記情報の報告を受け付けて、誤記情報を受信する（Ａ１４）。一方、個人ユーザ端末１０は、個人情報管理端末４０から、誤記情報の報告を受け付けた旨を受信する（Ａ１５）。
【００５６】
また、個人情報管理端末４０は、誤り情報受信部４１０の誤り情報判定部５２０が、データベース管理部４６０を介して指摘済み誤記データベース４９０から誤記情報を読み出して、受け付けた誤記情報が正当であるか否か判定を行い、同一内容の指摘があるか確認する（Ａ１６）。
【００５７】
個人情報管理端末４０は、受け付けた誤記情報がまだ他の個人ユーザから指摘を受けていない誤記情報であれば、新たに発見された誤記情報として、誤り情報送信部４２０が、企業ホームページ掲載端末２０又は企業情報管理端末３０に送信する（Ａ１７）。ここで、個人情報管理端末４０は、誤り情報送信部４２０が企業情報管理端末３０に誤記情報を送信しても良く、また企業ホームページ掲載端末２０に誤記情報を送信しても良い。本実施の形態では、企業情報管理端末３０を介して、企業ホームページ掲載端末２０に誤記情報を送信する（Ａ１８）。
【００５８】
企業ホームページ掲載端末２０は、誤記情報を受信すると、受信した誤記情報に該当する箇所を修正し（Ａ１９）、誤記情報が修正された旨の通知を企業情報管理端末３０に行う（Ａ２０）。
【００５９】
企業情報管理端末３０は、企業ホームページ掲載端末２０から誤記情報が修正された旨の通知を受信すると、誤記情報表示部３２０に掲載された誤記情報を更新し（Ａ２１）、個人情報管理端末４０に誤記情報が修正された旨の通知を送信する（Ａ２２）。
【００６０】
個人情報管理端末４０は、誤り情報修正受信部４３０が、企業情報管理端末３０から誤記情報が修正された旨の通知を受信すると、修正時間算出部４４０が、誤記情報を送信してから誤記情報が修正された旨の通知を受信するまでの時間を算出する。また、個人情報管理端末４０は、謝礼送信部５１０がデータベース管理部４６０を介して謝礼データベース４８０から謝礼テーブルを読み出して、謝礼金額を算出して謝礼の提供を行う（Ａ２３）。
【００６１】
個人情報管理端末４０は、謝礼送信部５１０が、個人ユーザ端末１０へ謝礼の提供を通知するとともに（Ａ２４）、修正時間算出部４４０によって算出された修正時間に基づいて、認定証付与部４５０が、誤記の指摘に対する更新が確実かつ迅速であり、修正対応が適切であることを証明する認定証を、企業ホームページ掲載端末２０に付与する（Ａ２５）。
【００６２】
なお、認定証付与部４５０が付与する認定証は、企業ホームページ掲載端末２０に送信することに限定されず、例えば、企業情報管理端末３０の謝礼一覧掲示部３１０に認定証を提示するようにしても良い。
【００６３】
次に、図７で示したシーケンス図において、本実施の形態に係る個人情報管理端末４０の動作について、詳細に説明する。
【００６４】
図８は、個人情報管理端末４０の動作について示したフローチャートである。まず、個人情報管理端末４０は、誤り情報受信部４１０が、個人ユーザ端末１０から誤記情報を受信する（ステップＳ０１および図７のＡ１４）。
【００６５】
そして、誤り情報受信部４１０は、誤り情報判定部５２０が、指摘済み誤記データベース４９０を検索し（ステップＳ０３）、受信した誤記情報における指摘内容が、新規な誤記（指摘済みのものでない誤記）であるか否か判定を行う（ステップＳ０５）。
【００６６】
そして、誤り情報判定部５２０は、受信した誤記情報が、指摘済み誤記データベース４９０に記載されておらず、受信した誤記情報における指摘内容が新規な誤記であると判定した場合には（ステップＳ０５のＹｅｓおよび図７のＡ１６）、誤り情報送信部４２０が、企業情報管理端末３０に、誤記情報に基づく誤記の修正依頼を行う（ステップＳ０７および図７のＡ１７）。
【００６７】
一方、誤り情報判定部５２０は、受信した誤記情報が指摘済み誤記データベース４９０に記載されていると判定した場合には（ステップＳ０５のＮｏ）、受信した誤記情報は既に指摘済み誤記データベース４９０に格納されているため、誤記情報として受け付けず、ステップＳ０１に戻る。
【００６８】
そして、個人情報管理端末４０は、誤り情報修正受信部４３０が、企業情報管理端末３０から、企業ホームページ掲載端末２０に掲載されたホームページの誤記情報が修正された旨の通知を受信する（ステップＳ０９および図７のＡ２２）。
【００６９】
すると、修正時間算出部４４０は、誤り情報送信部４２０が誤記情報を送信した送信時間と、誤り情報修正受信部４３０が修正された旨の通知を受信した受信時間から、修正に要した修正時間を算出する（ステップＳ１１）。
【００７０】
また、誤り情報修正受信部４３０は、誤記情報が修正された旨を受信すると、謝礼送信部５１０にお礼を示す謝礼の応答指示を送出する。謝礼送信部５１０は、誤り情報修正受信部４３０から謝礼の応答指示を取得すると、個人情報管理データベース４７０と謝礼データベース４８０を参照しながら、個人ユーザ端末１０の個人情報と修正した誤記情報に基づいて、誤記情報を指摘してくれたことに対するお礼を謝礼として通知する（ステップＳ１３および図７のＡ２４）。
【００７１】
また、修正時間算出部４４０は、算出された修正時間に基づいて、認定証データベース５００を参照して、例えば、修正依頼が過去１０回あった場合に、何れの修正もすべて２時間以内に修正対応し、修正依頼の数も２カ所程度といった、所定の条件を満たしている場合には（ステップＳ１５のＹｅｓ）、認定証付与部４５０が、誤記情報の指摘に対する更新が確実かつ迅速であり、修正対応が適切であることを証明する認定証を、企業ホームページ掲載端末２０に付与する（ステップＳ１７および図７のＡ２５）。
【００７２】
一方、修正にかかった時間もしくは修正回数のいずれかを満たさない場合には（ステップＳ１５のＮｏ）、認定証を付与しないで終了する。なお、ここで判断する所定の条件は、運営団体と各企業との取り決めによる条件であっても良く、また運営団体が各企業に共通して設ける一定の条件であっても良い。
【００７３】
また、認定証付与部４５０が付与する認定証は、企業ホームページ掲載端末２０に送信することに限定されず、例えば、企業情報管理端末３０の謝礼一覧掲示部３１０に認定証を提示するようにしても良い。
【００７４】
以上説明したように本実施の形態によれば、個人ユーザから指摘された誤記情報が迅速かつ適切に修正されることにより、運営団体に管理される官公庁や企業は、ホームページの信頼性を向上させることができる。
【００７５】
また、本実施の形態によれば、官公庁や企業は、認定証を企業ホームページ掲載端末２０や企業情報管理端末３０のホームページに添付することができるので、公開している情報に対して誤記や嘘がないことを閲覧者である個人ユーザに示すことができる。
【００７６】
また、本実施の形態によれば、認定証が、誤記情報の指摘に対する修正が確実かつ迅速であることを示すので、ホームページの品質水準を向上させるとともに、認定証の保持を維持する意識が働くので、誤記情報に対する意識を高めることができる。
【００７７】
また、本実施の形態によれば、誤記情報を指摘する個人ユーザに対して謝礼を提供することにより、複数の個人ユーザを集めることができるので、その結果、大人数の個人ユーザの視点でホームページに対するチェックを厳しくすることができる。
【００７８】
また、本実施の形態によれば、企業情報管理端末３０において謝礼を提供する企業と謝礼内容が明確に開示されているので、誤記を含む誤記情報を指摘した個人ユーザは、確実に謝礼を受け取ることができる。
【００７９】
以上、図面を参照して本発明の実施形態について述べたが、これらは本発明の例示であり、上記以外の様々な構成を採用することもできる。
【００８０】
例えば、第１の実施の形態では、個人情報管理端末４０が、謝礼送信部５１０から個人ユーザ端末１０に対して謝礼を送付するようになっていたが、本実施の形態はこれに限らず、企業ホームページ掲載端末２０を有する企業から、個人ユーザ端末１０の個人ユーザに謝礼を送付するようにしても良い。
【００８１】
また、第１の実施の形態では、謝礼送信部５１０が謝礼を送付するようになっていたが、本実施の形態はこれに限らず、謝礼を送付しないことを条件に、運営団体に登録されていない企業の誤記情報についても申告を受け付けるようにしても良い。
【００８２】
これにより、個人ユーザが着目するホームページに対する誤記情報を運営団体が取得することができるので、運営団体から未登録の企業に対して誤記情報を報告することができ、未登録の企業を運営団体に登録することができるとともに、その企業のホームページの信頼性を向上させることができる。
【００８３】
また、本実施の形態では、認定証付与部４５０が認定証を付与する場合について説明したが、本実施の形態はこれに限らず、付与した認定証を取り消す条件を別途設定するようにしても良い。この場合、認定証データベース５００に記載された条件を一度でも満たさなかった場合に認定証を取り消しても良く、或いは、認定証を付与した後に、修正が所定の条件を満たさない場合の回数（例えば、５回のタイムオーバーなど）を設定し、条件を満たさない場合の回数に達したときに、付与した認定証を取り消すようにしても良い。
【図面の簡単な説明】
【００８４】
【図１】本実施の形態に係るホームページチェックシステムを構成する概略構成図である。
【図２】本実施の形態に係る個人情報管理端末を構成する機能ブロック図である。
【図３】本実施の形態に係る個人情報管理データベースに格納された個人情報テーブルを示した一例である。
【図４】本実施の形態に係る謝礼データベースに格納された謝礼テーブルを示した一例である。
【図５】本実施の形態に係る指摘済み誤記データベースに格納された指摘済み誤記テーブルを示した一例である。
【図６】本実施の形態に係る認定証データベースに格納された認定証テーブルを示した一例である。
【図７】本実施の形態に係るホームページチェックシステムの全体動作を示すシーケンス図である。
【図８】本実施の形態に係る個人情報管理端末の動作を示すフローチャートである。
【符号の説明】
【００８５】
１０    個人ユーザ端末
２０    企業ホームページ掲載端末
３０    企業情報管理端末
４０    個人情報管理端末
５０    企業情報管理システム
１００    ネットワーク
２００    ホームページチェックシステム
３１０    謝礼一覧掲示部
３２０    誤記情報表示部
４１０    誤り情報受信部
４２０    誤り情報送信部
４３０    誤り情報修正受信部
４４０    修正時間算出部
４５０    認定証付与部
４６０    データベース管理部
４７０    個人情報管理データベース
４８０    謝礼データベース
４９０    指摘済み誤記データベース
５００    認定証データベース
５１０    謝礼送信部
５２０    誤り情報判定部
【図１】
2010067040.tif 000003
【図２】
2010067040.tif 000004
【図３】
2010067040.tif 000005
【図４】
2010067040.tif 000006
【図５】
2010067040.tif 000007
【図６】
2010067040.tif 000008
【図７】
2010067040.tif 000009
【図８】
2010067040.tif 000010